(57)【要約】【課題】通常運用中に冗長パスの正常動作を確認する。【解決手段】運用パスの送信側と接続する冗長用ポート、及び空きポートを有する送信スイッチ部３と、運用パスの受信側と接続する冗長用ポート、及び自身が出力した光信号を測定するためのモニタ用ポートを有し、送信スイッチからの光信号を受信する受信スイッチ部４と、送信スイッチ部３の空きポート及び受信スイッチ部４のモニタ用ポートへの接続切替動作を制御し、モニタ用ポートを介して測定された光信号を監視し、送信スイッチ部の正常性を確認するスイッチ制御・モニタ監視部６とを備える。【選択図】図１
2011147077.tif 000002
【特許請求の範囲】
【請求項１】
光伝送装置間で光信号を伝送する運用パスに接続され、当該運用パスに対する冗長パスとして機能するプロテクションスイッチにおいて、
前記運用パスの送信側と接続する冗長用ポート、及び空きポートを有する送信スイッチ部と、
前記運用パスの受信側と接続する冗長用ポート、及び自身が出力した光信号を測定するためのモニタ用ポートを有し、前記送信スイッチからの光信号を受信する受信スイッチ部と、
前記送信スイッチ部の空きポート及び前記受信スイッチ部のモニタ用ポートへの接続切替動作を制御し、前記モニタ用ポートを介して測定された光信号を監視し、前記送信スイッチ部の正常性を確認するスイッチ制御・モニタ監視部と
を備えることを特徴とするプロテクションスイッチ。
【請求項２】
光伝送装置間で光信号を伝送する運用パスに接続され、当該運用パスに対する冗長パスとして機能するプロテクションスイッチにおいて、
前記運用パスの送信側と接続する冗長用ポート、及び空きポートを有する送信スイッチ部と、
前記運用パスの受信側と接続する冗長用ポート、及びモニタ用ポートを有し、前記送信スイッチからの光信号を受信する受信スイッチ部と、
前記モニタ用ポートを介して前記受信スイッチ部からの光信号を測定する測定器と、
前記送信スイッチ部の空きポート及び前記受信スイッチ部のモニタ用ポートの接続切替動作を制御し、前記測定器による測定結果を監視し、前記送信スイッチ部の正常性を確認するスイッチ制御・モニタ監視部と
を備えることを特徴とするプロテクションスイッチ。
【請求項３】
前記測定器はパワーモニタである
ことを特徴とする請求項２記載のプロテクションスイッチ。
【請求項４】
前記受信スイッチ部は、空きポートをさらに有し、
前記スイッチ制御・モニタ監視部は、前記受信スイッチ部の空きポートへの接続切替動作を制御し、前記送信スイッチ部及び前記受信スイッチ部の正常性を確認する
ことを特徴とする請求項１から請求項３のうちいずれか１項記載のプロテクションスイッチ。
【請求項５】
前記スイッチ制御・モニタ監視部における前記送信スイッチ部及び受信スイッチ部の接続切替動作は予めプログラムされる
ことを特徴とする請求項１から請求項４のうちいずれか１項記載のプロテクションスイッチ。
【発明の詳細な説明】
【技術分野】
【０００１】
この発明は、例えば、光信号を伝送する運用パスに対する冗長パスとして機能するプロテクションスイッチにおいて、自己の正常性を確認するプロテクションスイッチに関するものである。
【背景技術】
【０００２】
Ｎ＋１プロテクションスイッチは、光ファイバを用いた光伝送装置におけるプロテクション技術であり、光伝送装置の通常運用するＮ個の光伝送路（運用パス）に対して、運用パスの障害発生時の迂回伝送路（冗長パス）として機能するものである（例えば、特許文献１参照）。
【０００３】
運用パスは光ファイバを介して光信号を伝送している。この運用パスの送信側には１：２カプラが具備され、受信側には２：１カプラが具備されている。１：２カプラは伝送路から伝送された光信号を２つに分波し、一方の光信号を２：１カプラに伝送して、他方の光信号をプロテクションスイッチの送信スイッチ部に伝送している。また、２：１カプラは、１：２カプラから伝送された光信号と、送信スイッチ部に接続された受信スイッチ部から伝送された光信号を合波して伝送路に伝送している。
【０００４】
送信スイッチ部は、複数の光スイッチで構成され、各光スイッチは選択した１：２カプラと接続するための冗長用ポートを有している。また、受信スイッチ部は、複数の光スイッチで構成され、各光スイッチは選択した２：１カプラと接続するための冗長用ポートを有している。なお、受信スイッチ部の光スイッチは冗長用ポートの他に、冗長パスを切断するための空きポートを有している。
【０００５】
ここで、運用パスの１つに障害が発生した場合、送信スイッチ部は障害が発生した運用パスに対応する冗長用ポートを選択してこの運用パスの１：２カプラと接続する。また、受信スイッチ部は障害が発生した運用パスに対応する冗長用ポートを選択してこの運用パスの２：１カプラと接続する。
【０００６】
これにより、運用パスの１つに障害が発生した場合に、送信スイッチ部及び受信スイッチ部はその障害が発生した運用パスの送信側の１：２カプラ及び受信側の２：１カプラと接続することで伝送経路を確保し、光信号を冗長パスで迂回させて伝送することが可能となる。このように、１つの冗長パスをＮ個の運用パスで共有するのでＮ＋１プロテクションスイッチと呼ばれる。
【０００７】
なお、運用パスが正常に動作している場合には、受信スイッチ部の光スイッチを空きポートに接続し、冗長パスを切断して光信号を遮断している。これは、正常時に冗長パスからの光信号が運用パスに伝送されると、運用パスの信号と重なって信号が劣化するためである。したがって、受信スイッチ部の光スイッチは、伝送路で障害が発生するまでは冗長パスを切断した状態で保持される。
【先行技術文献】
【特許文献】
【０００８】
【特許文献１】特許第２８５３７５０号公報
【特許文献２】特開２００２−２９１００２号公報
【発明の概要】
【発明が解決しようとする課題】
【０００９】
ここで、特許文献１に開示される従来のプロテクションスイッチにおいて送信スイッチ部または受信スイッチ部の光スイッチが故障した場合、冗長パスが切断されたままになったり、パス切替ができなくなってしまうことになる。しかしながら、この光スイッチの故障は運用パスに障害が発生して冗長パスに切り替わるまで発見されないという課題があり、冗長パスの正常性を確認する方法について提供されていないという課題があった。
【００１０】
また、従来のプロテクションスイッチにおいて、光スイッチの動作を検証する技術はある（例えば、特許文献２参照）が、正常運用時に運用パスに影響を与えずに冗長パスを確認する方法は提供されていないという課題があった。
【００１１】
この発明は、上記のような課題を解決するためになされたもので、通常運用中に冗長パスの正常動作を確認することができるプロテクションスイッチを提供することを目的とする。
【課題を解決するための手段】
【００１２】
この発明に係るプロテクションスイッチは、運用パスの送信側と接続する冗長用ポート、及び空きポートを有する送信スイッチ部と、運用パスの受信側と接続する冗長用ポート、及び自身が出力した光信号を測定するためのモニタ用ポートを有し、送信スイッチからの光信号を受信する受信スイッチ部と、送信スイッチ部の空きポート及び受信スイッチ部のモニタ用ポートへの接続切替動作を制御し、モニタ用ポートを介して測定された光信号を監視し、送信スイッチ部の正常性を確認するスイッチ制御・モニタ監視部とを備えるものである。
【発明の効果】
【００１３】
この発明によれば、上記のように構成したので、冗長パスを測定器に接続して、この冗長パスの光信号を測定することで、運用パスが異常になる前に冗長パスの正常性を確認することができ、障害が発生した際にプロテクションが正常に作動しないという二重障害を防ぐことができる。
【図面の簡単な説明】
【００１４】
【図１】この発明の実施の形態１に係るプロテクションスイッチの構成を示す図である。
【図２】この発明の実施の形態１に係るプロテクションスイッチの動作を示すフローチャートである。
【図３】この発明の実施の形態２に係るプロテクションスイッチの構成を示す図である。
【図４】この発明の実施の形態２に係るプロテクションスイッチの動作を示すフローチャートである。
【発明を実施するための形態】
【００１５】
以下、この発明の実施の形態について図面を参照しながら詳細に説明する。
実施の形態１．
図１はこの発明の実施の形態１に係るプロテクションスイッチの構成を示す図である。
プロテクションスイッチは、光伝送装置において通常運用する複数の運用パス（伝送路）のいずれかに障害が発生した場合に、迂回路を形成する冗長パス（伝送路）として機能するものである。ここで、運用パスは１：２カプラ１及び２：１カプラ２を具備している。なお、図１では６本の運用パスａ〜ｆに対してプロテクションスイッチを設けた場合について示している。
【００１６】
１：２カプラ１は、運用パスの送信側から伝送された光信号を２つの分波するものであり、各運用パスの送信側に接続されている。この１：２カプラ１により分波された一方の光信号は対応する運用パスの受信側に具備された２：１カプラ２に伝送され、他方の光信号はプロテクションスイッチの後述する送信スイッチ部３に伝送される。
【００１７】
２：１カプラ２は、対応する１：２カプラ１から伝送された光信号と、プロテクションスイッチの後述する受信スイッチ部４から伝送された光信号とを合波するものであり、各運用パスの受信側に接続されている。この２：１カプラ２により合波された光信号は運用パスの受信側に伝送される。
【００１８】
上記のように構成された運用パスに接続し、冗長パスとして機能するプロテクションスイッチは、図１に示すように、送信スイッチ部３、受信スイッチ部４、パワーモニタ（測定器）５及びスイッチ制御・モニタ監視部６から構成される。
【００１９】
送信スイッチ部３は、運用パスのいずれかに障害が生じた場合に、障害が生じた運用パスに具備された１：２カプラ１と接続し、運用パスの送信側から１：２カプラ１を介して伝送された光信号を受信スイッチ部４に伝送するものである。
この送信スイッチ部３は、スイッチ制御・モニタ監視部６により選択された１：２カプラ１と接続するための冗長用ポートを有する複数の光スイッチ１１〜１３と、スイッチ制御・モニタ監視部６により選択された光スイッチ１１〜１３と接続するための冗長用ポートを有する光スイッチ１４とが具備されている。また、光スイッチ１１〜１３は、冗長用ポートの他に、冗長パスを切断するための空きポートを１つずつ有している。
【００２０】
受信スイッチ部４は、運用パスのいずれかに障害が生じた場合に、障害が生じた運用パスに具備された２：１カプラ２と接続し、送信スイッチ部３から伝送された光信号を２：１カプラ２を介して運用パスの受信側に伝送するものである。
この受信スイッチ部４は、スイッチ制御・モニタ監視部６により選択された２：１カプラ２と接続するための冗長用ポートを有する複数の光スイッチ１６〜１８と、スイッチ制御・モニタ監視部６により選択された光スイッチ１６〜１８と接続するための冗長用ポートを有する光スイッチ１５とが具備されている。また、光スイッチ１６〜１８は、冗長用ポートの他に、パワーモニタ５と接続するためのモニタ用ポートを１つずつ有している。
【００２１】
パワーモニタ５は、受信スイッチ部４から伝送された光信号を測定するものである。
スイッチ制御・モニタ監視部６は、送信スイッチ部３及び受信スイッチ部４の各光スイッチ１１〜１８の接続切替動作を制御する機能と、パワーモニタ５により測定された光信号の測定値を監視する機能とを有するものである。
【００２２】
次に、上記のように構成されたプロテクションスイッチの動作について説明する。図２はこの発明の実施の形態１に係るプロテクションスイッチの動作を示すフローチャートである。以下では、運用パスａに対応する冗長パスの正常性確認動作について説明する。
プロテクションスイッチによる正常性確認動作では、図２に示すように、まず、送信スイッチ部３及び受信スイッチ部４は、運用パスａに対応する冗長パスをパワーモニタ５に接続する（ステップＳＴ２１）。すなわち、送信スイッチ部３は、スイッチ制御・モニタ監視部６による制御に従い、光スイッチ１１を上段の（運用パスａの１：２カプラ１と接続するための）冗長用ポートに接続し、光スイッチ１４を上段の（光スイッチ１１と接続するための）冗長用ポートに接続する。さらに、受信スイッチ部４の光スイッチ１５を上段の（光スイッチ１６と接続するための）冗長用ポートに接続し、光スイッチ１６を下段のモニタ用ポートに接続する。
【００２３】
このように各光スイッチの接続を行うことにより、運用パスａの１：２カプラ１で分波された光信号が、光スイッチ１１、光スイッチ１４、光スイッチ１５及び光スイッチ１６を経由してパワーモニタ５に入力されるパスが確立する。ここで、パワーモニタ５によりこのパスからの光信号が正常に測定された場合、スイッチ制御・モニタ監視部６は、運用パスａに対応する冗長パスが正常であると判断する（ステップＳＴ２２）。
【００２４】
次いで、送信スイッチ部３の各光スイッチ１１〜１４の接続切替を行うことにより、送信スイッチ部３の接続切替確認を行う（ステップＳＴ２３，２４）。まず、冗長パスがパワーモニタ５に接続された状態から光スイッチ１１を下段の空きポートに接続すると、パワーモニタ５へのパスは切断される。ここで、パワーモニタ５により光信号が測定されない場合、スイッチ制御・モニタ監視部６は、光スイッチ１１が正常に接続切替できていると判断する。
【００２５】
次いで、光スイッチ１１を上段の冗長用ポートに戻し、光スイッチ１２を下段の空きポート、光スイッチ１３を下段の空きポート、光スイッチ１４を中段または下段の（光スイッチ１２または光スイッチ１３と接続するための）冗長用ポートにそれぞれ接続しても、パワーモニタ５へのパスは遮断される。ここで、パワーモニタ５により光信号が測定されない場合、スイッチ制御・モニタ監視部６は、光スイッチ１２〜１４が正常に接続切替できていると判断する。
【００２６】
以下同様にして、各光スイッチ１１〜１８の接続切替動作を制御して、残りの運用パスｂ〜ｆに対応する冗長パスをパワーモニタ５に接続して光信号の測定を行うことで、全ての冗長パスの正常性を確認することができ、送信スイッチ部３の光スイッチ１１〜１４の接続切替動作の正常性を確認することができる。
【００２７】
なお、この冗長パスの正常性確認動作において、各光スイッチ１１〜１８の接続切替動作の制御を間違えると、運用パスに誤った光信号を伝送してしまう。これを防止するため、上記光スイッチ１１〜１８の接続切替動作に対する制御はスイッチ制御・モニタ監視部６に予めプログラムしておき、正常性確認動作の際に誤った制御を行わないようにする。
【００２８】
以上のように、この実施の形態１によれば、送信スイッチ部３の光スイッチ１１〜１３に空きポートを設け、受信スイッチ部４の光スイッチ１６〜１８にパワーモニタ５と接続するモニタ用ポートを設け、各冗長パスに対する正常性確認を行うように構成したので、運用パスに障害が発生する前に冗長パスの正常性を確認することができ、また、送信スイッチ部３の光スイッチ１１〜１４の接続切替動作の正常性を確認することができ、運用パスに障害が発生した際にプロテクションが正常に作動しないという二重障害を防ぐことができる。
【００２９】
実施の形態２．
実施の形態１では、冗長パスをパワーモニタ５に接続して、この冗長パスの正常性及び送信スイッチ部３の接続切替動作の正常性を確認するように構成したものであるが、実施の形態２は、これに加えて、受信スイッチ部４の接続切替動作についても正常性を確認するものである。
図３はこの発明の実施の形態２に係るプロテクションスイッチの構成を示す図である。
図３に示す実施の形態２に係るプロテクションスイッチは、図１に示す実施の形態１に係るプロテクションスイッチの光スイッチ１６〜１８を光スイッチ２１〜２３に変更したものであり、その他の構成は同一でありその説明を省略する。
【００３０】
光スイッチ２１〜２３は、図３に示すように、選択された２：１カプラ２と接続するための冗長用ポート、及びパワーモニタ５と接続するためのモニタ用ポートに加えて、冗長パスを切断するための空きポートを１つずつ有している。
【００３１】
次に、上記のように構成されたプロテクションスイッチの動作について説明する。図４はこの発明の実施の形態２に係るプロテクションスイッチの動作を示すフローチャートである。以下では運用パスａに対応する冗長パスの正常性動作について説明する。
プロテクションスイッチによる正常性確認動作では、図４に示すように、まず、送信スイッチ部３及び受信スイッチ部４は、運用パスａに対応する冗長パスをパワーモニタ５に接続する（ステップＳＴ４１）。すなわち、送信スイッチ部３は、スイッチ制御・モニタ監視部６による制御に従い、光スイッチ１１を上段の（運用パスａの１：２カプラ１と接続するための）冗長用ポートに接続し、光スイッチ１２及び光スイッチ１３を下段の空きポートに接続し、光スイッチ１４を上段の（光スイッチ１１と接続するための）冗長用ポートに接続する。さらに、受信スイッチ部４の光スイッチ１５を上段の（光スイッチ２１と接続するための）冗長用ポートに接続し、光スイッチ２１を３段目のモニタ用ポートに接続し、光スイッチ２２及び光スイッチ２３を４段目の空きポートに接続する。
【００３２】
このように各光スイッチの接続を行うことにより、運用パスａの１：２カプラ１で分波された光信号が、光スイッチ１１、光スイッチ１４、光スイッチ１５及び光スイッチ２１を経由してパワーモニタ５に入力されるパスが確立する。ここで、パワーモニタ５によりこのパスからの光信号が正常に測定された場合、スイッチ制御・モニタ監視部６は、運用パスａに対応する冗長パスが正常であると判断する（ステップＳＴ４２）。
【００３３】
次いで、この接続状態を基本状態として各光スイッチ１１，１４，１５，２１の接続切替を行うことにより送信スイッチ部３及び受信スイッチ部４の接続切替動作の正常性確認を行う（ステップＳＴ４３〜４６）。
【００３４】
まず、この基本状態から光スイッチ１１を下段の空きポート・上段の冗長用ポートに繰り返し切替えると、運用パスａからの光信号が遮断・導通を繰り返すことになる。ここで、パワーモニタ５により光信号の有無が繰り返して測定された場合、スイッチ制御・モニタ監視部６は、光スイッチ１１が正常に接続切替できていると判断する。
【００３５】
次いで、基本状態から光スイッチ１４を上段以外の冗長用ポート・上段の冗長用ポートに繰り返し切替えると、運用パスａからの光信号が遮断・導通を繰り返すことになる。ここで、パワーモニタ５により光信号の有無が繰り返して測定された場合、スイッチ制御・モニタ監視部６は、光スイッチ１４が正常に接続切替できていると判断する。
【００３６】
次いで、基本状態から光スイッチ１５を上段以外の冗長用ポート・上段の冗長用ポートに繰り返し切替えると、運用パスａからの光信号が遮断・導通を繰り返すことになる。ここで、パワーモニタ５により光信号の有無が繰り返して測定された場合、スイッチ制御・モニタ監視部６は、光スイッチ１５が正常に接続切替できていると判断する。
【００３７】
次いで、基本状態から光スイッチ２１を４段目の空きポート・３段目のモニタ用ポートに繰り返し切替えると、運用パスａからの光信号が遮断・導通を繰り返すことになる。ここで、パワーモニタ５により光信号の有無が繰り返して測定された場合、スイッチ制御・モニタ監視部６は、光スイッチ２１が正常に接続切替できていると判断する。
【００３８】
以下同様にして、各光スイッチ１１〜１５，２１〜２３の接続切替動作を制御して、残りの運用パスｂ〜ｆに対応する冗長パスをパワーモニタ５に接続して光信号を測定を行うことで、全ての冗長パスの正常性を確認することができ、送信スイッチ部３及び受信スイッチ部４の全ての光スイッチ１１〜１５，２１〜２３の接続切替動作の正常性を確認することができる。
【００３９】
なお、この冗長パスの正常性確認動作において、各光スイッチ１１〜１５，２１〜２３の接続切替動作の制御を間違えると、運用パスに誤った信号を伝送してしまう。これを防止するため、上記光スイッチ１１〜１５，２１〜２３の接続切替動作の制御はスイッチ制御・モニタ監視部６に予めプログラムしておき、正常性確認の際に誤った制御を行わないようする。
【００４０】
以上のように、この実施の形態２によれば、受信スイッチ部４の光スイッチ２１〜２３に空きポートをさらに設けて各冗長パスに対する正常性確認を行うように構成したので、実施の形態１における効果に加えて、送信スイッチ部３及び受信スイッチ部４の全ての光スイッチ１１〜１５，２１〜２３の接続切替動作の正常性を確認することができ、運用パスに障害が発生した際にプロテクションが正常に作動しないという二重障害を防ぐことができる。
【００４１】
実施の形態３．
上記実施の形態１，２ではパワーモニタ５を装置内部に設けて構成したが、このパワーモニタ５を装置内には設けず、受信スイッチ部４にモニタ用ポートを設けるだけであってもよい。この場合、モニタ用ポートと接続するパワーメータ等の測定器を外部に設置し、冗長パスの正常性及び送信スイッチ３部及び受信スイッチ部４の各光スイッチの接続切替動作の正常性を確認すればよい。このように構成することによって、パワーモニタ５を省略することができ、部品を削減することが可能となる。
【符号の説明】
【００４２】
１  １：２カプラ、２  ２：１カプラ、３  送信スイッチ部、４  受信スイッチ部、５  パワーモニタ（測定器）、６  スイッチ制御・モニタ監視部、１１〜１８，２１〜２３  光スイッチ。
【図１】
2011147077.tif 000003
【図２】
2011147077.tif 000004
【図３】
2011147077.tif 000005
【図４】
2011147077.tif 000006